(57)【要約】【課題】  従来よりもコストがかからず且つ耐水性を有する注意喚起用安全テープを提供しようとするもの。【解決手段】  通行者に注意を喚起するテープ４を巻き取る芯材５が内装された筒状体６を具備し、前記筒状体６はテープ４が挿通されるスリット11を有し、前記芯材５の回動操作が可能な操作部８が筒状体６の外部へと延設され、前記操作部８の操作により筒状体６内にテープ４を巻き込むことができ、前記スリット11には弾性部材12による水切り手段が配設され巻き込み時にテープ４に付着した水分を切ることができると共に、前記テープ４の先端側と筒状体６側には外部への装着手段17が設けられた。【選択図】  図１
2006058428.tif 000002
【特許請求の範囲】
【請求項１】
通行者に注意を喚起するテープ（４）を巻き取る芯材（５）が内装された筒状体（６）を具備し、前記筒状体（６）はテープ（４）が挿通されるスリット（11）を有し、前記芯材（５）の回動操作が可能な操作部（８）が筒状体（６）の外部へと延設され、前記操作部（８）の操作により筒状体（６）内にテープ（４）を巻き込むことができ、前記スリット（11）には弾性部材（12）による水切り手段が配設され巻き込み時にテープ（４）に付着した水分を切ることができると共に、前記テープ（４）の先端側と筒状体（６）側には外部への装着手段（17）が設けられたことを特徴とする注意喚起用安全テープ。
【請求項２】
前記筒状体（６）はケーシング（７）内に収容され、前記ケーシング（７）の外周に平坦面が形成されると共に、前記装着手段（17）は前記平坦面に設けられた請求項１記載の注意喚起用安全テープ。
【発明の詳細な説明】
【技術分野】
【０００１】
この発明は、ビルの定期清掃時やメンテナンス業務時、また工事現場などで好適に使用できる注意喚起用安全テープに関するものである。
【背景技術】
【０００２】
従来より、ビルではフロアーの定期清掃や、蛍光灯や電球の交換・空調フィルターのメンテなどメンテナンス業務が行われている。
【０００３】
ところで、フロアーの定期清掃時には水や洗剤で床が滑り易くなっており危険な状態にある。また工事現場の作業エリア内は当然危険区域である。このように作業中のエリア内は危険であり、事故の未然防止のため歩行者がエリア内に入ってこないように通行をシャットアウトする必要がある。
【０００４】
このため、赤色の三角コーンを幾つか境界に設置し、黄色と黒色の縞々模様の安全テープ（例えば非特許文献１参照）をカットし、エリアの境界に貼り巡らすようにしていた。
【０００５】
しかし、エリアの大きさに合わせてカットして用いる安全テープは基本的に使い捨てであり繰返し使用することができずコストがかかってしまうという問題があった。また、清掃時などのように水に濡れる状況で使用されることが多いので耐水性を有することが要望される。
【非特許文献１】日東電工株式会社ホームページ、“危険個所を表示するトラテープ”[online]、 [2004/8/6検索]、インターネット＜ＵＲＬ：http://www.nitto.co.jp/company/culture/adhesive/18/＞
【発明の開示】
【発明が解決しようとする課題】
【０００６】
そこでこの発明は、従来よりもコストがかからず且つ耐水性を有する注意喚起用安全テープを提供しようとするものである。
【課題を解決するための手段】
【０００７】
前記課題を解決するためこの発明では次のような技術的手段を講じている。
(１)この発明の注意喚起用安全テープは、通行者に注意を喚起するテープを巻き取る芯材が内装された筒状体を具備し、前記筒状体はテープが挿通されるスリットを有し、前記芯材の回動操作が可能な操作部が筒状体の外部へと延設され、前記操作部の操作により筒状体内にテープを巻き込むことができ、前記スリットには弾性部材による水切り手段が配設され巻き込み時にテープに付着した水分を切ることができると共に、前記テープの先端側と筒状体側には外部への装着手段が設けられたことを特徴とする。
【０００８】
この注意喚起用安全テープは、通行者に注意を喚起するテープを巻き取る芯材が内装された筒状体を具備し、前記芯材の回動操作が可能な操作部が筒状体の外部へと延設され、前記操作部の操作により筒状体内にテープを巻き込むことができるので、使用後は筒状体内にテープを巻き取ってコンパクトに収容して繰り返し使用することができる。
【０００９】
また、筒状体はテープが挿通されるスリットを有し、前記スリットには弾性部材による水切り手段が配設され巻き込み時にテープに付着した水分を切ることができるので、清掃などで濡れることがあっても水切りして収納することができる。
【００１０】
そして、前記テープの先端側と筒状体側には外部への装着手段が設けられたので、作業エリアを区画する必要な箇所に装着手段で固定することができる。また、収容するテープの長さは或る程度長めに設定しておけばよく、引き出す長さの調節により各種の作業エリアで使用することができる。
【００１１】
ここで、前記筒状体として円筒状のものなどを好適に使用することができる。このように円筒状とすると、余分な摩擦がかかり難い状態でテープを円滑に筒状体内に巻き取ることができる。前記装着手段として、磁石（マグネットシート）や両面テープを例示することができる。例えば、磁石（マグネットシート）の磁力により作業エリア周辺の金属体面（通常ビルその他には数多く存在する）に固定するようにすると、マグネット式のため固定箇所に対して簡単に取り外しができ定期清掃その他の作業を迅速に行うことができると共に、半永久的に磁力を発揮させることができる。
【００１２】
(２) 前記筒状体はケーシング内に収容され、前記ケーシングの外周に平坦面が形成されると共に、前記装着手段は前記平坦面に設けられたこととしてもよい。
【００１３】
このように構成すると、平坦面に設けられた装着手段により、磁力（マグネットシートの場合）や接着力（両面テープの場合）を固定箇所に対して隙間がないフラットな状態で有効に発揮させて十分な装着力を得ることができる。
【発明の効果】
【００１４】
この発明は上述のような構成であり、次の効果を有する。
【００１５】
使用後は筒状体内にテープを巻き取ってコンパクトに収容して繰り返し使用することができるので、従来よりもコストがかからない注意喚起用安全テープを提供することができる。また、清掃などで濡れることがあっても水切りして収納することができるので、耐水性を有する注意喚起用安全テープを提供することができる。
【発明を実施するための最良の形態】
【００１６】
以下、この発明の実施の形態を図面を参照して説明する。
【００１７】
図１乃至図４に示すように、この実施形態の注意喚起用安全テープ１は、ビルのフロアーの定期清掃（水や洗剤で床２が滑り易くなっており危険な状態にある）や、蛍光灯３や電球の交換／空調フィルターのメンテなどメンテナンス業務、工事現場（危険区域である）などで好適に使用することができ、事故の未然防止のためこのような作業中の危険エリア内に歩行者が入ってこないように通行をシャットアウトするものである（特に図２参照）。
【００１８】
図３に示すように、その構造として、通行者に注意を喚起するテープ４を巻き取る芯材５が内装された筒状体６を具備する。前記テープ４は薄い細幅状の合成樹脂製長尺シート体としており、黄色地に黒字で「キケン  ！  作業中  ＣＡＵＴＩＯＮ  ！  注意（図２参照）」などと表示されている。
【００１９】
前記筒状体６として厚紙製の円筒状の紙管を使用しており、円筒状という丸い形状により余分な摩擦がかかり難い状態でテープ４を円滑に筒状体６内に巻き取ることができる。前記筒状体６は断面異形六角形状の厚紙製のケーシング７内に収容され、前記ケーシング７の外周には面積が広い平坦面を形成している。前記円筒状の筒状体６の両端には、一対の円形状の発泡スチロールを蓋体10として配設している。ケーシング７と蓋体10の外周全面には、防水性のテープ（図示せず）を貼付している。そして、前記芯材５の回動操作が可能な操作部８が筒状体６の外部へと前記蓋体10の孔部９を介して延設され、前記操作部８の操作により筒状体６内にテープ４を巻き込むことができる。
また前記筒状体６は、テープ４が挿通されるスリット11を有する。前記スリット11の両側には一対の弾性部材12（ゴム材）による水切り手段が配設され、巻き込み時にテープ４に付着した水分を切ることができるようにしている（図４参照）。
【００２０】
そして、前記テープ４の先端側に形成した２つの穿設孔13を介して凹部14と凸部15を有する固定手段16によって外部への装着手段17を装着し、前記筒状体６側のケーシング７の外周のおける最も面積が広い平坦面にも外部への装着手段17を接着している。前記装着手段17として磁石（マグネットシート）を用いたが、両面粘着テープを用いることもできる。
【００２１】
このようにマグネットシートの磁力により作業エリア周辺の金属体面（通常ビルその他の作業エリアには数多く存在する）に固定するようにすると、固定箇所に対して簡単に取り外しができ、定期清掃その他の作業を迅速に行うことができると共に、半永久的に磁力を発揮させることができる。なお、テープ４の先端側の外部への装着手段17は９ｃｍ×２ｃｍとテープ幅よりもやや広いマグネットシートとし、筒状体６側のケーシング７の外周の外部への装着手段17は９ｃｍ×５ｃｍのマグネットシートとした。
【００２２】
次に、この実施形態の注意喚起用安全テープの使用状態を説明する。
【００２３】
この注意喚起用安全テープ１は、通行者に注意を喚起するテープ４を巻き取る芯材５が内装された筒状体６を具備し、前記芯材５の回動操作が可能な操作部８が筒状体６の外部へと延設され、前記操作部８の操作により筒状体６内にテープ４を巻き込むことができるので、使用後は筒状体６内にテープ４を巻き取ってコンパクトに収容して繰り返し使用することができ、テープ４を使い捨てとせず反復利用することができ、従来よりもコストがかからないという利点がある。
【００２４】
また、筒状体６はテープ４が挿通されるスリット11を有し、前記スリット11には弾性部材12（ゴム材）による水切り手段が配設され巻き込み時にテープ４に付着した水分を切ることができるので、清掃などで濡れることがあっても水切りして収納することができ、耐水性を有するという利点がある。
【００２５】
そして、前記テープ４の先端側と筒状体６側のケーシング７外周には外部への装着手段17（マグネットシート）が設けられたので、作業エリアを区画するために必要な箇所に前記装着手段17で固定することができるという利点がある。ここで、収容するテープ４の長さは或る程度長めに設定しておけばよく、引き出す長さの調節により各種の作業エリアで使用することができる。
【００２６】
さらに、前記筒状体６はケーシング７内に収容され、前記ケーシング７の外周に平坦面が形成されると共に、前記装着手段17は前記平坦面に設けられたこととしており、平坦面に設けられた装着手段17により、磁力（マグネットシートの場合）や接着力（両面テープの場合）を固定箇所に対して隙間がないフラットな状態で有効に発揮させて十分な装着力を得ることができるという利点がある。
【産業上の利用可能性】
【００２７】
従来よりもコストがかからずまた耐水性を有するので種々の作業エリアの注意喚起用の用途に好適に適用することができる。
【図面の簡単な説明】
【００２８】
【図１】この発明の注意喚起用安全テープの実施形態を説明する斜視図。
【図２】図１の注意喚起用安全テープの使用状態を説明する斜視図。
【図３】図１の注意喚起用安全テープの構造を説明する分解斜視図。
【図４】図１の注意喚起用安全テープの構造を説明する縦断面図。
【符号の説明】
【００２９】
４  テープ
５  芯材
６  筒状体
７  ケーシング
８  操作部
11  スリット
12  弾性部材
17  装着手段
【図１】
2006058428.tif 000003
【図２】
2006058428.tif 000004
【図３】
2006058428.tif 000005
【図４】
2006058428.tif 000006